(57)【要約】【課題】映像表示が必要でないときに無駄な電力を消費しないヘッドマウントディスプレイを提供する。【解決手段】映像を表示する表示部１が支持部２の先端に取り付けられ、支持部２は、ヘッドホーン３の片側に対して、矢印方向の回動（回動量は１８０°＋調整代）が可能なように取り付けられている。２つのヘッドホーン３は、連結部４により連結されている。支持部２の回動により、このヘッドマウントディスプレイを左眼用、右眼用に切り換えて使用することができる。支持部２が方向が頭頂部近傍を向いているとき、表示部１に映像を表示しないようにする。これにより、このヘッドマウントディスプレイを単なるヘッドホーンとして使用しているとき等に、表示部に無駄な電力を供給しなくて済む。【選択図】  図１
2007219116.tif 000002
【特許請求の範囲】
【請求項１】
映像を表示する表示部の上下左右を反転させることにより右眼用と左眼用に切り換えて使用可能なヘッドマウントディスプレイであって、人為的な操作が行われる毎に、前記表示部に表示される映像の上下左右を反転させる機能を有することを特徴とするヘッドマウントディスプレイ。
【請求項２】
前記人為的な操作が、電源のオンオフ、ヘッドマウントディスプレイの脱装着、表示コンテンツの変更、表示の一時停止のいずれかであることを特徴とする請求項１に記載のヘッドマウントディスプレイ。
【請求項３】
前記表示部に表示される映像の上下左右の反転と同時に、ヘッドホーンの左右出力を反転させる機能を有することを特徴とする請求項１又は請求項２に記載のヘッドマウントディスプレイ。
【請求項４】
前記表示部に表示される映像の上下左右の反転に合わせて、ユーザの左右眼の能力、又は能力差に応じた表示の調整を行う機能を有することを特徴とする請求項１から請求項３のうちいずれか１項に記載のヘッドマウントディスプレイ。
【請求項５】
外装部に、右眼用として使用可能か左眼用として使用可能かを表示する表示装置を有することを特徴とする請求項１から請求項４のうちいずれか１項に記載のヘッドマウントディスプレイ。
【請求項６】
映像の上下左右反転が行われてから一定の期間は、映像の上下左右反転の指令が出されても、映像の上下左右反転を行わない機能を有することを特徴とする請求項１から請求項５のうちいずれか１項に記載のヘッドマウントディスプレイ。
【発明の詳細な説明】
【技術分野】
【０００１】
本発明は、ヘッドマウントディスプレイに関するものである。
【背景技術】
【０００２】
近年、液晶パネル（ＬＣＤ）等のディスプレイ上に表示された映像を、接眼レンズやハーフミラー等を有する光学系を介して拡大した虚像として観察する眼鏡タイプの映像表示装置が種々と提案され、ヘッドマウントディスプレイと呼ばれている。このようなヘッドマウントディスプレイの例は、例えばＷＯ２００４／０６１５１９Ａ１公報（特許文献１）に記載されている。
【０００３】
この映像表示装置は、多くの場合、頭に巻いた形で顔面に装着する構成とされ、両眼に対応する位置に映像表示系を形成した両眼タイプと左右眼の一方の眼に対応する位置に映像表示系を形成した片眼タイプとがある。
【０００４】
ヘッドマウントディスプレイを連続的に使用する場合、映像を観察している眼が疲労するという問題が存在する。よって、片眼タイプのヘッドマウントディスプレイにおいては、ある程度の時間映像を観察した後は、他の眼に切り換えて映像を観察することが好ましい。そのため、映像を観察した時間に基づいて、使用する眼の左右を入れ替えるように促すような表示を行うヘッドマウントディスプレイが、例えば特開２００４−２３３７７７号公報（特許文献２）に記載されている。
【特許文献１】ＷＯ２００４／０６１５１９Ａ１公報
【特許文献２】特開２００４−２３３７７７号公報
【発明の開示】
【発明が解決しようとする課題】
【０００５】
しかしながら、映像を観察する眼の左右を入れ替えるように促すような表示を行っても、使用者は、慣れた眼だけで映像を見続けてしまう傾向にあり、又、左右の切換を面倒と感じて、行わない傾向がある。よって、映像を観察する眼の左右を入れ替えるように促すだけでは、眼の疲労が蓄積するのを防止するためには、必ずしも有効でないという問題がある。
【０００６】
本発明はこのような事情に鑑みてなされたもので、確実に左右眼を切り換えて使用させることができるヘッドマウントディスプレイを提供することを課題とする。
【課題を解決するための手段】
【０００７】
前記課題を解決するための第１の手段は、映像を表示する表示部の上下左右を反転させることにより右眼用と左眼用に切り換えて使用可能なヘッドマウントディスプレイであって、人為的な操作が行われる毎に、前記表示部に表示される映像の上下左右を反転させる機能を有することを特徴とするヘッドマウントディスプレイである。
【０００８】
本手段においては、人為的な操作が行われる毎に、前記表示部に表示される映像の上下左右を反転させる機能を有するので、使用者は、映像を観察する眼を変えて使用せざるを得ず、よって、片方の眼に疲労が蓄積するのを防止することができる。なお、「映像を表示する表示部の上下左右を反転させる」とは、必ずしも表示部のみの上下左右を反転させることを意味せず、その他の部分を同時に上下左右反転させる場合も含み、極端には、頭部に装着される部分全体の上下左右を反転させるような場合を含むものである。
【０００９】
前記課題を解決するための第２の手段は、前記第１の手段であって、前記人為的な操作が、電源のオンオフ、ヘッドマウントディスプレイの脱装着、表示コンテンツの変更、表示の一時停止のいずれかであることを特徴とするものである。
【００１０】
前記課題を解決するための第３の手段は、前記第１の手段又は第２の手段であって、前記表示部に表示される映像の上下左右の反転と同時に、ヘッドホーンの左右出力を反転させる機能を有することを特徴とするものである。
【００１１】
表示部の上下左右反転と共に、ヘッドホーンの左右が反転する場合には、音声がモノラルであるときは、ヘッドホーンの出力は、左右どちらの眼で使用する場合でも同じでよいが、音声がステレオであるときには、映像の左右上下反転と共に音声の左右出力を反転させることにより、左右の耳に正しい音声を出力することができる。
【００１２】
前記課題を解決するための第４の手段は、前記第１の手段から第３の手段のいずれかであって、前記表示部に表示される映像の上下左右の反転に合わせて、ユーザの左右眼の能力、又は能力差に応じた表示の調整を行う機能を有することを特徴とするものである。
【００１３】
左右の眼に視力等の差がある場合には、表示部に表示される映像の上下左右の反転に合わせて、ユーザの左右眼の能力、又は能力差に応じた表示の調整を行うことにより、切り換えられた方の眼で映像を見た場合にも、特に調整をすることなく、映像の観察を行うことができる。
【００１４】
前記課題を解決するための第５の手段は、前記第１の手段から第４の手段のいずれかであって、外装部に、右眼用として使用可能か左眼用として使用可能かを表示する表示装置を有することを特徴とするものである。
【００１５】
本手段においては、外装部に、右眼用として使用可能か左眼用として使用可能かが表示されるので、使用者が装着を誤ることを防止できる。
【００１６】
前記課題を解決するための第６の手段は、前記第１の手段から第５の手段のいずれかであって、映像の上下左右反転が行われてから一定の期間は、映像の上下左右反転の指令が出されても、映像の上下左右反転を行わない機能を有することを特徴とするものである。
【００１７】
場合によっては、ヘッドマウントディスプレイの脱装着、表示コンテンツの変更、表示の一時停止等の、映像の上下左右反転の指令のトリガーとなる入力が短時間のうちに繰り返し行われることがある。このような場合に、忠実に映像の上下左右反転を行っていては、かえって煩わしい。よって、本手段においては、映像の上下左右反転が行われてから一定の期間は、たとえ映像の上下左右反転の指令が出されても、映像の上下左右反転を行わないようにしている。
【発明の効果】
【００１８】
本発明によれば、確実に左右眼を切り換えて使用させることが可能なヘッドマウントディスプレイを提供することができる。
【発明を実施するための最良の形態】
【００１９】
以下、本発明の実施の形態の例を図を用いて説明する。図１は、本発明の実施の形態の１例であるヘッドマウントディスプレイの外観を示す概要図である。このヘッドマウントディスプレイは、装着者Ｍに映像を表示するための表示手段である表示部１１を有している。この実施の形態では、表示部１１は、装着者Ｍの左目にのみ映像を表示する。表示部１１は、支持手段である支持部１２を介して装着部１３に支持されている。装着部１３は、頭部Ｈの前面、すなわち、顔Ｆにかからない位置に装着可能とされている。装着部１３は、装着者Ｍの頭部Ｈに配置される２箇所の保持部１４と、保持部１４を連結する連結部１５とを有している。この実施の形態では、保持部１４は、接続部１６を介して連結部１５に固定され、顔Ｆの両側となる耳Ｙの位置に配置されている。
【００２０】
また、連結部１５は、顔Ｆと反対側の後頭部ＨＢに位置されている。連結部１５は、後頭部ＨＢに沿った曲線状に形成されている。連結部１５は、例えば、弾性を有する樹脂により形成されている。この実施の形態では、保持部１４には、音声出力手段であるスピーカ１７が配置され、保持部とスピーカ１７とがヘッドホーンを構成している。
【００２１】
そして、支持部１２は、表示部１１を装着者Ｍの左目の眼前に配置する位置から、頭部側方を通って、後頭部ＨＢ側に水平に移動できるようになっている。支持部１２は、頭部側方に沿った曲線状に形成されている。支持部１２は、例えば、弾性を有する樹脂により形成されている。
【００２２】
そして、支持部１２は、頭部側方に沿って移動可能とされている。この実施の形態では、支持部１２は、装着部１３の連結部１５に収容可能とされ、連結部１５に沿って移動可能とされている。
【００２３】
上述した表示装置は、図１に示したように、装着部１３の連結部１５が、装着者Ｍの後頭部ＨＢ側になるようにして、２箇所の保持部１４を耳Ｙに当てることにより、装着者Ｍの頭部Ｈに装着される。そして、この状態では、連結部１５の弾性により、２箇所の保持部１４が耳Ｙに軽く押圧され、表示装置が、装着者Ｍの頭部Ｈに確実に装着される。
【００２４】
そして、装着者Ｍが、表示部１１の映像を見る場合には、図１に示したように、指により表示部１１を引き出すことにより、支持部１２が、装着部１３の連結部１５から引き出され、表示部１１が、左目の前方に配置される。
【００２５】
このヘッドマウントディスプレイは、図１に示した上下方向について線対称となっているので、右眼用として使用する場合には、図１に示す位置から１８０°回転させることにより、使用が可能となる。その場合には、表示部１１の上下左右が反転し、これにつれて表示部に表示される映像の上下左右も反転するので、映像表示を制御する映像再生部（図示せず）において、映像の上下左右を反転させる必要がある。
【００２６】
なお、このヘッドマウントディスプレイには、左右表示装置１８が取り付けられており、表示部１１に表示される映像が、左眼用のものか右眼用のものかが、これを見れば分かるようになっている。
【００２７】
図２に、このヘッドマウントディスプレイの制御回路の概要のブロック図を示す。再生情報記憶部には、再生する映像情報と音声情報が記憶され、これが、映像・音声再生部によって再生され、それぞれ、ヘッドマウントディスプレイ本体部の映像表示部、音声出力部（ヘッドホーン）に出力される。
【００２８】
操作スイッチは、電源オンオフ、表示コンテンツの変更、表示の一時停止等を行うスイッチであり、映像・音声制御部は、この操作を受けて所定の動作を行う。表示眼・音声向き記憶部には、現在、ヘッドマウントディスプレイ本体部が右眼用として使用されているか左眼用として使用されているかが記憶されている。
【００２９】
映像・音声制御部は、操作スイッチから電源オンオフの信号を受けて電源のオンオフを行うと共に、電源が新たにオンとされる毎に、表示眼・音声向き記憶部の内容を読み出して、その内容が左眼用であれば右眼用出力となるように、右眼用であれば左眼用出力となるように、映像・音声再生部を制御する。則ち、以前に使われていた状態から、映像の上下左右を反転させ、音声出力の左右を反転させる。映像・音声制御部は、操作スイッチから表示コンテンツの変更、表示の一時停止の指令を受けたときも、次に表示する映像と出力する音声を、上記と同様に反転させる。
【００３０】
又、この実施の形態においては、ヘッドマウントディスプレイ本体部に、頭部装着検出器が取り付けられている。これは、例えば、ヘッドマウントディスプレイ本体部が頭部に接触していることを検知するマイクロスイッチのようなものでよい。映像・音声制御部は、頭部装着検出器からの信号により、ヘッドマウントディスプレイ本体部が頭部に新しく装着されたことを検知する毎に、次に表示する映像と出力する音声を、上記と同様に反転させる。
【００３１】
なお、映像・音声出力部は、映像が右眼用として出力されているか左眼用として出力されているかを、図１に示す左右表示装置１８に表示する（例えば、右眼用として使用されているときのみ、左右表示装置１８を点灯させる）が、その配線の図示を省略する。
【００３２】
図３は、このヘッドマウントディスプレイの制御回路の概要の別のブロック図である。図２に示すブロック図と図３に示すブロック図とは、視度変更手段がついているところと、光学系が図示されているところが異なるのみであるので、同じ部分の説明を省略する。
【００３３】
人によっては、右眼の視力と左眼の視力が異なり、映像を右眼用と左眼用に切り換えただけでは、使用者が、視力の違いに合わせて光学系を調整し直さなければならないような場合がある。この例においては、予め、右眼の視力と左眼の視力が映像・音声制御部に記憶されており、映像・音声制御部は、左眼用と右眼用とを切り換えると同時に、視度変更手段に指令を出して、視度変更手段が光学系を操作し、各眼に合った視度の映像を使用者の眼に表示するようにしている。
【００３４】
ところで、場合によっては、ヘッドマウントディスプレイの脱装着、表示コンテンツの変更、表示の一時停止等の、映像の上下左右反転の指令のトリガーとなる入力が短時間のうちに繰り返し行われることがある。このような場合に、忠実に映像の上下左右反転を行っていては、かえって煩わしい。よって、-映像の上下左右反転が行われてから一定の期間は、映像の上下左右反転の指令が出されても、映像の上下左右反転を行わないようにすることが好ましい。これは、映像・音声制御部の機能として実現できる。
【図面の簡単な説明】
【００３５】
【図１】本発明の実施の形態の１例であるヘッドマウントディスプレイの外観を示す概要図である。
【図２】ヘッドマウントディスプレイの制御回路の概要のブロック図である。
【図３】ヘッドマウントディスプレイの制御回路の概要の別のブロック図である。
【符号の説明】
【００３６】
１１…表示部、１２…支持部、１３…装着部、１４…保持部、１５…連結部、１６…接続部、１７…スピーカ、１８…左右表示装置
【図１】
2007219116.tif 000003
【図２】
2007219116.tif 000004
【図３】
2007219116.tif 000005